【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
セカンダリセルを構成するための方法であって、
第1の基地局によって送信されたセカンダリセル構成メッセージを受信するステップであって、前記セカンダリセル構成メッセージは、セカンダリセルに対して前記第1の基地局によって構成されたセカンダリセルインデックスを備え、前記セカンダリセルは、前記第1の基地局を除く別の基地局のセルである、ステップと、
セカンダリセル構成情報をユーザ機器に送信するステップであって、前記セカンダリセル構成情報は、前記セカンダリセルに対して前記第1の基地局によって構成された前記セカンダリセルインデックスを含み、前記セカンダリセルインデックスは前記セカンダリセルのアクティブ化または非アクティブ化のために使用される、ステップと、
前記セカンダリセルの構成が完了したと決定するために、前記ユーザ機器によってフィードバックされたセカンダリセル構成完了メッセージを受信する、または前記第1の基地局によって送信されたセカンダリセル構成完了情報を受信するステップとを備え、
前記セカンダリセル構成完了情報は、前記第1の基地局が前記ユーザ機器によってフィードバックされた前記セカンダリセル構成完了メッセージを受信することであるか、または前記セカンダリセル構成完了情報は、前記ユーザ機器によってフィードバックされた前記セカンダリセル構成完了メッセージが受信された後に前記第1の基地局によって生成される、方法。
【請求項２】
前記セカンダリセル構成メッセージが、セカンダリセル/セカンダリeNodeB追加要求メッセージに含まれることをさらに備える、請求項１に記載の方法。
【請求項３】
第1の基地局によって送信されたセカンダリセル構成メッセージを受信する前記ステップの後に、
セカンダリセル構成確認メッセージを前記第1の基地局に送信するステップをさらに備え、
前記セカンダリセル構成確認メッセージは、前記セカンダリセルに対して構成された前記セカンダリセルインデックスを備える、請求項２に記載の方法。
【請求項４】
前記セカンダリセルの構成が完了した後、前記方法は、
セカンダリセルアクティブ化情報を前記ユーザ機器に送信するステップであって、前記セカンダリセルアクティブ化情報は、前記セカンダリセルをアクティブ化および/または非アクティブ化することに関する命令情報を備える、ステップをさらに備える、請求項１に記載の方法。
【請求項５】
前記セカンダリセルを解放すると決定されるとき、セカンダリセル解放指示メッセージを前記第1の基地局に送信するステップであって、前記セカンダリセル解放指示メッセージは前記解放されるセカンダリセルに関する情報を備える、ステップ、をさらに備える、請求項１から４のいずれか一項に記載の方法。
【請求項６】
セカンダリセルを構成するための方法であって、
セカンダリセル構成メッセージを第2の基地局に送信するステップであって、前記セカンダリセル構成メッセージは前記セカンダリセルに対して構成されたセカンダリセルインデックスを備える、ステップと、
ユーザ機器によってフィードバックされたセカンダリセル構成完了メッセージを受信するステップと、
セカンダリセル構成完了情報を前記第2の基地局に送信するステップとを備え、
前記セカンダリセル構成完了情報は、前記ユーザ機器によってフィードバックされた前記セカンダリセル構成完了メッセージが受信されることであるか、または前記セカンダリセル構成完了情報は、前記ユーザ機器によってフィードバックされた前記セカンダリセル構成完了メッセージが受信された後に生成される、方法。
【請求項７】
第2の基地局によって送信されたセカンダリセル構成要求メッセージを受信する前記ステップの前に、
セカンダリセル/セカンダリeNodeB追加要求メッセージまたはサービスオフロード要求メッセージを前記第2の基地局に送信するステップをさらに備える、請求項６に記載の方法。
【請求項８】
前記セカンダリセルの構成が完了した後、
セカンダリセルアクティブ化情報を前記ユーザ機器に送信するステップであって、前記セカンダリセルアクティブ化情報は、前記セカンダリセルをアクティブ化および/または非アクティブ化することに関する命令情報を備える、ステップをさらに備える、請求項７に記載の方法。
【請求項９】
前記セカンダリセルアクティブ化情報を前記ユーザ機器に送信する前記ステップの後に、
アップリンクタイミングアドバンス情報を前記ユーザ機器に送信するステップであって、前記アップリンクタイミングアドバンス情報は、前記セカンダリセルのアップリンクタイミングアドバンスを調整するために使用されるタイミングアドバンスと、前記セカンダリセルが属するタイミングアドバンスグループのインデックスとを備える、ステップをさらに備える、請求項８に記載の方法。
【請求項１０】
セカンダリセル解放指示メッセージが受信された後、解放されるセカンダリセルに関連し、前記セカンダリセル解放指示メッセージに含まれる情報を解放するステップをさらに備える、請求項６から９のいずれか一項に記載の方法。
【請求項１１】
セカンダリセルを構成するための装置であって、
第1の基地局によって送信されたセカンダリセル構成メッセージを受信するように構成されたセカンダリセル構成メッセージ受信ユニットであって、前記セカンダリセル構成メッセージは、セカンダリセルに対して前記第1の基地局によって構成されたセカンダリセルインデックスを備え、前記セカンダリセルは、前記第1の基地局を除く別の基地局のセルである、セカンダリセル構成メッセージ受信ユニットと、
セカンダリセル構成情報をユーザ機器に送信するように構成されたセカンダリセル構成情報送信ユニットであって、前記セカンダリセル構成情報は、前記セカンダリセルに対して前記第1の基地局によって構成された前記セカンダリセルインデックスを備え、前記セカンダリセルインデックスは前記セカンダリセルのアクティブ化または非アクティブ化のために使用される、セカンダリセル構成情報送信ユニットと、
前記セカンダリセルの構成が完了したと決定するために、前記ユーザ機器によってフィードバックされたセカンダリセル構成完了メッセージを受信するように構成される、または前記第1の基地局によって送信されたセカンダリセル構成完了情報を受信するように構成された、フィードバック受信ユニットとを備え、
前記セカンダリセル構成完了情報は、前記第1の基地局が前記ユーザ機器によってフィードバックされた前記セカンダリセル構成完了メッセージを受信することである、または前記セカンダリセル構成完了情報は、前記ユーザ機器によってフィードバックされた前記セカンダリセル構成完了メッセージが受信された後に前記第1の基地局によって生成される、装置。
【請求項１２】
サービス要求メッセージ送信ユニットをさらに備え、
前記セカンダリセル構成メッセージは、セカンダリセル/セカンダリeNodeB追加要求メッセージまたはサービスオフロード要求メッセージに含まれる、請求項１１に記載の装置。
【請求項１３】
セカンダリセル構成確認メッセージを前記第1の基地局に送信するように構成されたメッセージ確認ユニットをさらに備え、
前記セカンダリセル構成確認メッセージは、前記セカンダリセルに対して構成された前記セカンダリセルインデックスを備える、請求項１２に記載の装置。
【請求項１４】
セカンダリセルアクティブ化情報を前記ユーザ機器に送信するように構成されたアクティブ化メッセージ送信ユニットであって、前記セカンダリセルアクティブ化情報は、前記セカンダリセルをアクティブ化および/または非アクティブ化することに関する命令情報を備える、アクティブ化メッセージ送信ユニットをさらに備える、請求項１１に記載の装置。
【請求項１５】
前記セカンダリセルを解放すると決定されるとき、または前記セカンダリセルが解放された後に、セカンダリセル解放指示メッセージを前記第1の基地局に送信するように構成された解放メッセージ送信ユニットであって、前記セカンダリセル解放指示メッセージは前記解放されるセカンダリセルに関する情報を備える、解放メッセージ送信ユニットをさらに備える、請求項１１から１４のいずれか一項に記載の装置。
【請求項１６】
セカンダリセルを構成するための装置であって、
セカンダリセル構成メッセージを第2の基地局に送信するように構成されたセカンダリセル構成メッセージ送信ユニットであって、前記セカンダリセル構成メッセージは前記セカンダリセルに対して構成されたセカンダリセルインデックスを備える、セカンダリセル構成メッセージ送信ユニットと、
ユーザ機器によってフィードバックされたセカンダリセル構成完了メッセージを受信するように構成されたセカンダリセル構成完了メッセージ受信ユニットと、
セカンダリセル構成完了情報を前記第2の基地局に送信するように構成されたフィードバック送信ユニットとを備え、
前記セカンダリセル構成完了情報は、前記ユーザ機器によってフィードバックされた前記セカンダリセル構成完了メッセージが受信されることである、または前記セカンダリセル構成完了情報は、前記ユーザ機器によってフィードバックされた前記セカンダリセル構成完了メッセージが受信された後に生成される、装置。
【請求項１７】
セカンダリセル/セカンダリeNodeB追加要求メッセージまたはサービスオフロード要求メッセージを前記第2の基地局に送信するように構成された要求メッセージ送信ユニットをさらに備える、請求項１６に記載の装置。
【請求項１８】
セカンダリセルアクティブ化情報を前記ユーザ機器に送信するように構成されたセカンダリセルアクティブ化情報送信ユニットであって、前記セカンダリセルアクティブ化情報は、前記セカンダリセルをアクティブ化および/または非アクティブ化することに関する命令情報を備える、セカンダリセルアクティブ化情報送信ユニットをさらに備える、請求項１６に記載の装置。
【請求項１９】
アップリンクタイミングアドバンス情報を前記ユーザ機器に送信するように構成されたアップリンクタイミングアドバンス情報送信ユニットであって、前記アップリンクタイミングアドバンス情報は、前記セカンダリセルのアップリンクタイミングアドバンスを調整するために使用されるタイミングアドバンスと、前記セカンダリセルが属するタイミングアドバンスグループのインデックスとを備える、アップリンクタイミングアドバンス情報送信ユニットをさらに備える、請求項１７に記載の装置。
【請求項２０】
セカンダリセル解放指示メッセージが受信された後、解放されるセカンダリセルに関連し、前記セカンダリセル解放指示メッセージに含まれる情報を解放するように構成された解放ユニットをさらに備える、請求項１６から１９のいずれか一項に記載の装置。
【請求項２１】
プロセッサ、通信インターフェイス、メモリ、およびバスを備えるホストであって、
前記プロセッサ、前記通信インターフェイス、および前記メモリは、前記バスを使用することによって相互通信を完了し、
前記通信インターフェイスは、第1の基地局によって送信されたセカンダリセル構成メッセージを受信するように構成され、前記セカンダリセル構成メッセージは、セカンダリセルに対して前記第1の基地局によって構成されたセカンダリセルインデックスを備え、前記セカンダリセルは、前記第1の基地局を除く別の基地局のセルであり、
前記プロセッサは、プログラムを実行するように構成され、
前記メモリは、プログラムを記憶するように構成され、
前記プログラムは、
セカンダリセル構成情報をユーザ機器に送信するために使用され、前記セカンダリセル構成情報は、前記セカンダリセルに対して前記第1の基地局によって構成された前記セカンダリセルインデックスを備え、前記ユーザ機器は前記セカンダリセルインデックスに従って対応するセカンダリセルのインデックスを構成し、前記セカンダリセルインデックスは前記セカンダリセルのアクティブ化または非アクティブ化のために使用され、
前記セカンダリセルの構成が完了したと決定するために、前記ユーザ機器によってフィードバックされたセカンダリセル構成完了メッセージを受信する、または前記第1の基地局によって送信されたセカンダリセル構成完了情報を受信するために使用され、
前記セカンダリセル構成完了情報は、前記第1の基地局が前記ユーザ機器によってフィードバックされた前記セカンダリセル構成完了メッセージを受信することである、または前記セカンダリセル構成完了情報は、前記ユーザ機器によってフィードバックされた前記セカンダリセル構成完了メッセージが受信された後に前記第1の基地局によって生成される、ホスト。
【請求項２２】
プロセッサ、通信インターフェイス、メモリ、およびバスを備えるホストであって、
前記プロセッサ、前記通信インターフェイス、および前記メモリは、前記バスを使用することによって相互通信を完了し、
前記通信インターフェイスは、第2の基地局によって送信されたセカンダリセル構成要求メッセージを受信するように構成され、前記セカンダリセル構成要求メッセージはセカンダリセルインデックスをセカンダリセルに割り振るよう要求するために使用され、前記セカンダリセルは前記第2の基地局のセルであり、
前記プロセッサは、プログラムを実行するように構成され、
前記メモリは、前記プログラムを記憶するように構成され、
前記プログラムは、
セカンダリセル構成メッセージを前記第2の基地局に送信するために使用され、前記セカンダリセル構成メッセージは前記セカンダリセルに対して構成されたセカンダリセルインデックスを備え、
ユーザ機器によってフィードバックされたセカンダリセル構成完了メッセージを受信するために使用され、
セカンダリセル構成完了情報を前記第2の基地局に送信するために使用され、
前記セカンダリセル構成完了情報は、前記ユーザ機器によってフィードバックされた前記セカンダリセル構成完了メッセージが受信されることである、または前記セカンダリセル構成完了情報は、前記ユーザ機器によってフィードバックされた前記セカンダリセル構成完了メッセージが受信された後に生成される、ホスト。
【手続補正２】
【補正対象書類名】明細書
【補正対象項目名】０００３
【補正方法】変更
【補正の内容】
【０００３】
従来の2Gおよび3Gネットワークにおいて、より低い周波数帯域におけるキャリアが一般に使用される。たとえば、マクロセルは、ユーザにサービスを提供するために使用される。マクロセルのネットワーク負荷がさらに重くなると、端末は、ネットワーク容量を増強するために、対応するスモールセルにハンドオーバーされて、ネットワークサービスをオフロードすることができる。現在、無線ネットワークの送信速度を増大させて、ユーザエクスペリエンスを高めるため、スモールセルにおけるネットワーク機能強化が研究の課題となっている。スモールセル機能強化の主要な構想は、ユーザ機器(UE、User Equipment)が、マクロセルおよびスモールセルからのキャリアを同時に集約することによって、さらに多くの使用可能な無線リソースを取得し、それによりデータ送信速度を増大させることができるというものである。現在、可能な方針は、マクロeNodeB(MeNB、macro eNB)が、ユーザ機器のモビリティ管理、データパケットのオフロードなどに責任を負う主制御局として使用されることである。マクロeNodeBが主制御局として使用される場合、マクロeNodeBはまた、場合によってはマスターeNodeB、すなわちMaster eNBと称され、これはまたMeNBと略されることもある。ユーザ機器がマクロeNodeBおよびスモールeNodeBにおいて同時に動作する場合、2つの基地局からユーザ機器までの距離は異なるので、ユーザ機器がアップリンクデータ送信を実行するとき、アップリンクデータを送信するために異なるアップリンクタイミングアドバンス(TA、timing advanced)が一般に必要とされる。一般に、マクロeNodeB内のすべてのセルは、セルグループにグループ化され得るので、ユーザ機器がセルグループ内でアップリンクデータ送信を実行する場合、同じTA値が使用される。したがって、同じTAを使用するセルのグループはまた、場合によってはTAグループ(TAG、Timing advanced Group)と称されることもある。同様に、スモールeNodeBによって制御されるセルはまた、TAグループとして使用されてもよく、ユーザ機器がさまざまなTAグループにおいてセル内でアップリンクデータ送信を実行する場合、これらのTAグループに対応するTA値が送信に使用される。これに対して、マクロeNodeBまたはスモールeNodeBが、データ送信のためにユーザ機器のTAグループ内の1つまたは複数のセルを構成する場合、これらのセルは一般に、セカンダリセル(Secondary Cell、SCell)と称される。
【手続補正３】
【補正対象書類名】明細書
【補正対象項目名】０００４
【補正方法】変更
【補正の内容】
【０００４】
ユーザ機器が2つの基地局、すなわちマクロeNodeBおよびスモールeNodeBにおいて同時に動作する場合、マクロeNodeBおよびスモールeNodeBがユーザ機器に対して各々独立して1つまたは複数のセカンダリセルを構成するのであれば、マクロeNodeBによって構成されるセカンダリセルのセカンダリセルインデックス(SCell index)は、スモールセルeNodeBによって制御されるセカンダリセルのセカンダリセルインデックスと同じであってもよい。この場合、ユーザ機器が、セカンダリセルに関連する操作を受信すると、2つの基地局のセカンダリセルインデックスの間の競合により、誤動作が生じる可能性がある。たとえば、マクロeNodeBのセカンダリセルをアクティブ化するためのコマンドが受信されるとき、スモールeNodeBのセカンダリセルが誤ってアクティブ化される場合があるか、またはマクロeNodeBのセカンダリセルのTAGのタイミング調整コマンドが受信されるとき、スモールeNodeBのセカンダリセルのTAGのタイミングが誤って調整される場合もある。タイミング調整が誤って実行される場合において、UEは、誤ったアップリンクタイミングを使用して送信を実行する。その結果として、UE自身の信号が基地局によって正確に受信され得ないだけではなく、別のUEのアップリンク送信に重大な干渉をもたらす可能性もある。現在、1つの解決策は、セカンダリセルのアクティブ化などの操作が実行されている場合、同じセカンダリセルインデックスを持つ2つのセカンダリセルの各々がマクロeNodeBまたはスモールeNodeBのいずれに属するのかを、ユーザ機器が明確に決定できるようにするため、セカンダリセルが属する局の識別子が関連するメッセージにおいて明確に指示されることである。しかし、これは、関連するメッセージまたは関連するシグナリングが、毎回基地局のデバイス識別子を搬送する必要を生じさせ、メッセージのさらに重い負荷をもたらすことになる。
【手続補正４】
【補正対象書類名】明細書
【補正対象項目名】００２８
【補正方法】変更
【補正の内容】
【００２８】
第3の態様、または第3の態様の第1から第7の可能な実施方法のいずれか1つの実施方法を参照して、第3の態様の第8の可能な実施方法において、
装置は、
セカンダリセルを解放すると決定されるとき、またはセカンダリセルが解放された後に、セカンダリセル解放指示メッセージを第1の基地局に送信するように構成された解放メッセージ送信ユニットであって、セカンダリセル解放指示メッセージは解放されるセカンダリセルに関する情報を含む解放メッセージ送信ユニットをさらに含む。
【手続補正５】
【補正対象書類名】明細書
【補正対象項目名】００４８
【補正方法】変更
【補正の内容】
【００４８】
本発明のこの実施形態は、セカンダリセルを構成するための方法を提供する。第1の基地局は、セカンダリセルインデックスを割り振り、セカンダリセルインデックスは、対応するセカンダリセルのインデックスを構成するためにユーザ機器によって使用され、セカンダリセルインデックスの構成を完了した後、ユーザ機器は、セカンダリセル構成完了メッセージをフィードバックし、フィードバックされたセカンダリセル構成完了メッセージが受信された後、または第1の基地局によって送信されたセカンダリセル構成完了情報が受信された後、セカンダリセルの構成が完了する。セカンダリセルの構成が完了した後、第1の基地局または第2の基地局が、アクティブ化または非アクティブ化などの関連する操作を実行するための関連操作命令をさらに配信するとき、または、タイミングアドバンス調整メッセージを配信するとき、関連するメッセージまたは関連するシグナリングは、毎回基地局のデバイス識別子を搬送する必要はない。したがって、メッセージの負荷情報量が低減され得る。
【手続補正６】
【補正対象書類名】明細書
【補正対象項目名】００５１
【補正方法】変更
【補正の内容】
【００５１】
第1の基地局はマクロeNodeBであってもよく、セカンダリセル構成要求メッセージは、使用されると予想されるセカンダリセルインデックス、または使用されると予想され、セカンダリセルが属するタイミングアドバンスグループのものであるインデックスを含むことができる。
【手続補正７】
【補正対象書類名】明細書
【補正対象項目名】００６３
【補正方法】変更
【補正の内容】
【００６３】
ユーザ機器は、セカンダリセル構成完了メッセージを第1の基地局または第2の基地局に送信する。具体的には、ユーザ機器が第1の基地局からセカンダリセル構成情報を受信する場合、ユーザ機器は、セカンダリセル構成完了メッセージを第1の基地局に送信し、次いで、ユーザ機器がセカンダリセルの構成を完了したことを第2の基地局に通知するために、第1の基地局はセカンダリセル構成完了メッセージに従って指示メッセージを第2の基地局に送信する。あるいは、ユーザ機器が第2の基地局からセカンダリセル構成情報を受信する場合、ユーザ機器は、ユーザ機器がセカンダリセルの構成を完了したことを第2の基地局に通知するために、セカンダリセル構成完了メッセージを第2の基地局に送信する。あるいは、ユーザ機器がセカンダリセル構成情報を第1の基地局または第2の基地局のいずれから受信するかには関わりなく、ユーザ機器は、セカンダリセル構成完了メッセージを第1の基地局または第2の基地局に常に送信する。つまり、ユーザ機器がセカンダリセル構成完了メッセージをどのようにフィードバックするかは、具体的に限定されない。
【手続補正８】
【補正対象書類名】明細書
【補正対象項目名】００７６
【補正方法】変更
【補正の内容】
【００７６】
C1〜C7は、7つのセカンダリセルを表す。セカンダリセルに対応する対応するビットが1である場合、これはセカンダリセルがアクティブ化されるべきであることを指示し、対応するビットが0である場合、これはセカンダリセルが非アクティブ化されるべきであることを指示する。セカンダリセルがアクティブ化された後、ユーザ機器は、セカンダリセルにおいてデータ送信を実行することができる。
【手続補正９】
【補正対象書類名】明細書
【補正対象項目名】００７７
【補正方法】変更
【補正の内容】
【００７７】
本発明において、セカンダリセルをアクティブ化および/または非アクティブ化についての命令情報は、第1の基地局によって送信されてもよいか、または第2の基地局によって送信されてもよい。つまり、セカンダリセルをアクティブ化および/または非アクティブ化することに関する命令情報は、第1の基地局のセルを使用することによってユーザ機器に送信されてもよいか、または第2の基地局のセルを使用することによってユーザ機器に送信されてもよい。
【手続補正１０】
【補正対象書類名】明細書
【補正対象項目名】００８５
【補正方法】変更
【補正の内容】
【００８５】
セカンダリセル構成要求メッセージは、セカンダリセルインデックスをセカンダリセルに割り振るよう要求するために使用され、セカンダリセルは第2の基地局のセルである。第2の基地局は、スモールeNodeBであってもよい。
【手続補正１１】
【補正対象書類名】明細書
【補正対象項目名】０１１１
【補正方法】変更
【補正の内容】
【０１１１】
セカンダリセル構成情報は、第1の基地局から第2の基地局によって受信されたセカンダリセル構成メッセージを含む。セカンダリセル構成情報に従って対応するセカンダリセルの構成を完了した後、ユーザ機器は、セカンダリセル構成完了メッセージを第1の基地局または第2の基地局に送信する。具体的には、ユーザ機器が第1の基地局からセカンダリセル構成情報を受信する場合、ユーザ機器は、セカンダリセル構成完了メッセージを第1の基地局に送信し、次いで、ユーザ機器がセカンダリセルの構成を完了したことを第2の基地局に通知するために、第1の基地局は、セカンダリセル構成完了メッセージに従って指示メッセージを第2の基地局に送信する。あるいは、ユーザ機器が第2の基地局からセカンダリセル構成情報を受信する場合、ユーザ機器は、ユーザ機器がセカンダリセルの構成を完了したことを第2の基地局に通知するために、セカンダリセル構成完了メッセージを第2の基地局に送信する。あるいは、ユーザ機器がセカンダリセル構成情報を第1の基地局または第2の基地局のいずれから受信するかには関わりなく、ユーザ機器は、セカンダリセル構成完了メッセージを第1の基地局または第2の基地局に常に送信する。つまり、ユーザ機器がセカンダリセル構成完了メッセージをどのようにフィードバックするかは、具体的に限定されない。
【手続補正１２】
【補正対象書類名】明細書
【補正対象項目名】０１１３
【補正方法】変更
【補正の内容】
【０１１３】
セカンダリセルアクティブ化情報は、セカンダリセルをアクティブ化および/または非アクティブ化することに関する命令情報を含む。さらに、第2の基地局または第1の基地局は、ユーザ機器に対して構成されたSCellをアクティブ化および/または非アクティブ化するため、SCellアクティブ化および/または非アクティブ化MAC CEをユーザ機器に送信する。SCellアクティブ化および/または非アクティブ化MAC CEを受信した後、ユーザ機器は、MAC CEに従って対応するSCellをアクティブ化/非アクティブ化する。
【手続補正１３】
【補正対象書類名】明細書
【補正対象項目名】０１１９
【補正方法】変更
【補正の内容】
【０１１９】
本発明のこの実施形態は、セカンダリセルを構成するための装置を提供する。第1の基地局は、セカンダリセルインデックスを割り振り、セカンダリセルインデックスは、対応するセカンダリセルのインデックスを構成するためにユーザ機器によって使用され、セカンダリセルインデックスの構成を完了した後、ユーザ機器は、セカンダリセル構成完了メッセージをフィードバックし、フィードバックされたセカンダリセル構成完了メッセージが受信された後、または第1の基地局によって送信されたセカンダリセル構成完了情報が受信された後、セカンダリセルの構成が完了する。セカンダリセルの構成が完了した後、第1の基地局または第2の基地局が、アクティブ化または非アクティブ化などの関連する操作を実行するための関連操作命令をさらに配信するか、または、タイミングアドバンス調整メッセージを配信するとき、関連するメッセージまたは関連するシグナリングは、毎回基地局のデバイス識別子を搬送する必要はない。したがって、メッセージの負荷情報量が低減され得る。
【手続補正１４】
【補正対象書類名】明細書
【補正対象項目名】０１４０
【補正方法】変更
【補正の内容】
【０１４０】
図13を参照すると、本発明の実施形態は、ホスト400を示す概略図を提供する。ホスト400は、コンピューティング機能を有するホストサーバ、パーソナルコンピュータPC、ポータブルコンピュータ、または端末などであってもよい。本発明の特定の実施形態は、ホストの特定の実施態様に制限を課すものではない。ホスト400は、
プロセッサ(processor)410、通信インターフェイス(Communications Interface)420、メモリ(memory)430、およびバス440を含み、
プロセッサ410、通信インターフェイス420、およびメモリ430は、バス440を使用することによって相互通信を完了する。
【手続補正１５】
【補正対象書類名】明細書
【補正対象項目名】０１５０
【補正方法】変更
【補正の内容】
【０１５０】
開示される実施形態は、当業者が本発明を実施または使用できるようにするため上記で提示される。実施形態へのさまざまな変形は、当業者には明らかであり、本明細書において定義される一般的原理は、本発明の範囲を逸脱することなくその他の実施形態において実施されてもよい。したがって、本発明は、本明細書において説明される実施形態に限定されることはなく、本明細書において開示される原理および新規性に適合する最大範囲まで及ぶものである。
【手続補正１６】
【補正対象書類名】図面
【補正対象項目名】図８
【補正方法】変更
【補正の内容】
【図８】
2016527828.tif 000001
【手続補正１７】
【補正対象書類名】図面
【補正対象項目名】図９
【補正方法】変更
【補正の内容】
【図９】
2016527828.tif 000002